(57)【特許請求の範囲】
【請求項１】
主フレームと、横向きの受け部材と、前記受け部材の一方の端部に接続されて前記主フレームに支持された第１支持部材と、前記受け部材の他方の端部を下側から受け止めて支持するもので前記主フレームに支持された第２支持部材とを備えて、
作物回収体の吊り下げ部が掛けられた前記受け部材を、前記第１及び第２支持部材により支持するように構成し、
前記第１支持部材を前記受け部材の延出方向に沿って移動自在に前記主フレームに支持し、前記第１支持部材に接続されて前記第１支持部材を移動操作するもので人為的に操作される操作部材を備えて、
前記受け部材が前記第１及び第２支持部材に支持された状態において、前記操作部材により前記第１操作部材を前記受け部材の延出方向に沿って前記第２支持部材から離れる方向に移動操作することにより、前記受け部材が前記第２支持部材から離れて、前記作物回収体の吊り下げ部を前記受け部材から取り外すことができる作物回収体用の吊り下げ体。
【請求項２】
前記受け部材を前記第１支持部材に対して上方に揺動自在な状態で前記第１支持部材に接続している請求項１に記載の作物回収体用の吊り下げ体。
【請求項３】
前記第２支持部材が、前記受け部材の他方の端部を下側から受け止めて支持する受け止め部と、前記受け止め部の一方及び他方の端部から上方に延出される一対の横側部とを備えている請求項１又は２に記載の作物回収体用の吊り下げ体。
【請求項４】
前記主フレームを横長状に構成して、前記主フレームの一方及び他方の端部に、前記第１及び第２支持部材、前記受け部材をそれぞれ備え、
前記主フレームの一方及び他方の端部の前記第１支持部材に亘って前記操作部材を接続して、前記操作部材により前記主フレームの一方及び他方の端部のそれぞれの前記第１支持部材を移動操作自在に構成している請求項１〜３のうちのいずれか一つに記載の作物回収体用の吊り下げ体。
【発明の詳細な説明】
【技術分野】
【０００１】
本発明は、人参収穫機のような作物収穫機等に使用されるもので、収穫された作物を回収して貯留する作物回収体を吊り下げて支持する吊り下げ体に関する。
【背景技術】
【０００２】
作物収穫機の一例である人参収穫機では、特許文献１，２に開示されているように、袋状の作物回収体（特許文献１の図３及び図８の５０）を使用したものがある。
特許文献１の人参収穫機では、収穫された作物が搬送されるコンベア（特許文献１の図４及び図８の３１）の端部に、吊り下げ体（特許文献１の図４及び図８の４２）を取り付け、吊り下げ体に作物回収体を吊り下げている。
【０００３】
特許文献１の人参収穫機では、作物回収体を支持台（特許文献１の図３及び図８の４１）に載せた状態で、コンベアを下降させて（特許文献１の図８（ａ）参照）、収穫作業を行う。
これにより、収穫された作物がコンベアから作物回収体に投入されるのであり、収穫された作物が作物回収体に投入されるのに伴って、コンベアを上昇させて作物回収体を上方に延ばしていき（特許文献１の図８（ｂ）参照）、作物回収体が上限まで延びた状態が作物回収体の満杯状態となる。
【先行技術文献】
【特許文献】
【０００４】
【特許文献１】特開２００９−２６８３５７号公報
【特許文献２】特開２０１２−２０５５６６号公報
【発明の概要】
【発明が解決しようとする課題】
【０００５】
特許文献１の人参収穫機において、作物回収体が満杯状態（作物回収体が上限まで延びた状態）になると、作物回収体を吊り下げ体から取り外し、支持台を斜め下向きに下降させて、支持台に載置された作物回収体を支持台から地面に滑り降ろしている。
【０００６】
作物回収体は吊り下げ体のフック状の金具に掛けられているので、前述のように作物回収体の満杯状態において、作物回収体を吊り下げ体から取り外す場合、作業者が作物回収体を少し持ち上げるようにして、作物回収体を吊り下げ体のフック状の金具から上方に抜くという作業を行うことになる。
しかしながら、満杯状態の重い作物回収体を持ち上げることは困難であり、作業者にとって重労働となる。
【０００７】
本発明は、収穫された作物を回収して貯留する作物回収体を吊り下げて支持する吊り下げ体において、作物回収体が満杯状態でも、作物回収体を吊り下げ体から楽に取り外すことができるように構成することを目的としている。
【課題を解決するための手段】
【０００８】
［Ｉ］（構成）
本発明の第１特徴は、作物回収体用の吊り下げ体において次のように構成することにある。
主フレームと、横向きの受け部材と、前記受け部材の一方の端部に接続されて前記主フレームに支持された第１支持部材と、前記受け部材の他方の端部を下側から受け止めて支持するもので前記主フレームに支持された第２支持部材とを備えて、
作物回収体の吊り下げ部が掛けられた前記受け部材を、前記第１及び第２支持部材により支持するように構成し、
前記第１支持部材を前記受け部材の延出方向に沿って移動自在に前記主フレームに支持し、前記第１支持部材に接続されて前記第１支持部材を移動操作するもので人為的に操作される操作部材を備えて、
前記受け部材が前記第１及び第２支持部材に支持された状態において、前記操作部材により前記第１操作部材を前記受け部材の延出方向に沿って前記第２支持部材から離れる方向に移動操作することにより、前記受け部材が前記第２支持部材から離れて、前記作物回収体の吊り下げ部を前記受け部材から取り外す。
【０００９】
（作用及び発明の効果）
本発明の第１特徴によると、作物回収体が吊り下げ体に取り付けられている状態において、作物回収体の吊り下げ部が横向きの受け部材に掛けられ、第１及び第２支持部材により受け部材の一方及び他方の端部が支持されて、作物回収体の重量が横向きの受け部材の延出方向と交差するように、受け部材に下向きに掛かる状態となっている。
【００１０】
前述の状態において、作物回収体を吊り下げ体から取り外す場合、本発明の第１特徴によると、操作部材により第１操作部材を受け部材の延出方向に沿って第２支持部材から離れる方向に移動操作することにより、受け部材を第２支持部材から離す。
この場合、作物回収体の重量が掛かる下向きに対して、受け部材の移動方向は下向きと交差する横向きであるので、作物回収体の重量が掛かる下向きとは逆の上向きに受け部材を移動させる状態に比べて、受け部材を横向きに楽に移動させることができる。
これにより、受け部材を第２支持部材から離れる位置まで移動させることによって、受け部材と第２支持部材との間から、作物回収体の吊り下げ部を楽に取り外すことができる（作物回収体の吊り下げ部を受け部材から楽に取り外すことができる）。
【００１１】
［ＩＩ］（構成）
本発明の第２特徴は、本発明の第１特徴の作物回収体用の吊り下げ体において次のように構成することにある。
前記受け部材を前記第１支持部材に対して上方に揺動自在な状態で前記第１支持部材に接続している。
【００１２】
（作用及び発明の効果）
本発明の第２特徴によると、受け部材の一方の端部が第１支持部材に接続され、受け部材の他方の端部が第２支持部材により下側から受け止められて支持された状態となっており、受け部材を第１支持部材に対して上方に揺動させることにより、受け部材の他方の端部を第２支持部材から上方に離すことができる。
【００１３】
これにより、前述のように受け部材を第１支持部材に対して上方に揺動させて、受け部材の他方の端部を第２支持部材から上方に離した状態において、作物回収体の吊り下げ部を受け部材の他方の端部と第２支持部材との間を通して入れ込むことができるのであり、作物回収体の吊り下げ部を受け部材に容易に掛けることができる。
この後、受け部材を第１支持部材に対して下方に揺動させて、受け部材の他方の端部が第２支持部材により下側から受け止められて支持された状態とすればよい。
【００１４】
［ＩＩＩ］（構成）
本発明の第３特徴は、本発明の第１又は第２特徴の作物回収体用の吊り下げ体において次のように構成することにある。
前記第２支持部材が、前記受け部材の他方の端部を下側から受け止めて支持する受け止め部と、前記受け止め部の一方及び他方の端部から上方に延出される一対の横側部とを備えている。
【００１５】
（作用及び発明の効果）
本発明の第３特徴によると、受け部材の一方の端部が第１支持部材に接続され、受け部材の他方の端部が第２支持部材の受け止め部により下側から受け止められて支持された状態において、第２支持部材の受け止め部の一方及び他方の端部に、上方に延出される一対の横側部が備えられている。
これにより、受け部材の他方の端部が振動等により第２支持部材の受け止め部から横に外れようとしても、第２支持部材の横側部に止められて、受け部材の他方の端部が第２支持部材の受け止め部から外れるようなことはない。
【００１６】
［ＩＶ］（構成）
本発明の第４特徴は、本発明の第１〜第３特徴の作物回収体用の吊り下げ体のうちのいずれか一つにおいて次のように構成することある。
前記主フレームを横長状に構成して、前記主フレームの一方及び他方の端部に、前記第１及び第２支持部材、前記受け部材をそれぞれ備え、
前記主フレームの一方及び他方の端部の前記第１支持部材に亘って前記操作部材を接続して、前記操作部材により前記主フレームの一方及び他方の端部のそれぞれの前記第１支持部材を移動操作自在に構成している。
【００１７】
（作用及び発明の効果）
本発明の第４特徴によると、横長状の主フレームの一方及び他方の端部に、第１及び第２支持部材、受け部材をそれぞれ備えているので、幅広の作物回収体を無理なく吊り下げて支持することができる。
この場合、主フレームの一方及び他方の端部の第１支持部材に亘って操作部材を接続しているので、操作部材により主フレームの一方及び他方の端部のそれぞれの第１支持部材を移動操作することができて、操作性の良いものとなる。
【図面の簡単な説明】
【００１８】
【図１】人参収穫機の左側面図である。
【図２】人参収穫機の平面図である。
【図３】人参収穫機の背面図である。
【図４】コンベアの縦断背面図である。
【図５】人参収穫機の右側面図である。
【図６】回収袋の全体斜視図である。
【図７】吊り下げ体をコンベアに取り付けている状態での背面図である。
【図８】吊り下げ体をコンベアに取り付けている状態でのコンベア及び吊り下げ体の側面図である。
【図９】吊り下げ体をコンベアに取り付けている状態での吊り下げ体の側面図である。
【図１０】吊り下げ体をコンベアに取り付けている状態での吊り下げ体における第１及び第２支持部材、受け部材の付近の正面図である。
【図１１】人参の回収状態を示すコンベア及び吊り下げ体、回収袋の付近の背面図である。
【発明を実施するための形態】
【００１９】
本発明の実施形態における前後方向及び左右方向は、特段の説明がない限り、以下のように記載している。作物収穫機の一例である人参収穫機（機体）の収穫作業時における前進側の進行方向が「前」であり、後進側の進行方向が「後」である。前後方向での前向き姿勢を基準として右側に相当する方向が「右」であり、左側に相当する方向が「左」である。
【００２０】
［１］
人参収穫機の全体について説明する。
図１及び図２に、作物収穫機の一例である人参収穫機が示されており、右及び左のクローラ型式の走行装置１に支持された機体の右前部に、運転部２及びエンジン３が支持されている。機体の左前部に、引き起こし装置４、土ほぐし刃５、引き抜きベルト６及び回転刃７が支持されている。
【００２１】
これにより、図１及び図２に示すように、機体の進行に伴って、引き起こし装置４により人参Ａの葉部Ａ１が上方に引き起こされながら、土中に入り込んだ土ほぐし刃５が振動して人参Ａの横側の土が崩される。引き起こしベルト６により人参Ａの葉部Ａ１が挟持されて人参Ａが引き抜かれ、人参Ａの下部の尻尾部分が回転刃７により切断されて、人参Ａが引き抜きベルト６により後方上方に搬送される。
【００２２】
図１及び図２に示すように、機体の左側部において、引き起こしベルト６の上部の後側に葉部搬送ベルト８及び回転刃９が備えられ、葉部搬送ベルト８及び回転刃９の下側に搬送ベルト１０が備えられている。葉部搬送ベルト８の後部に、斜め後方下方に傾斜する案内板１１が備えられ、機体の左側部の後部に、機体の左右中央側に向いて下方に傾斜する案内板１２が備えられている。
【００２３】
これにより、図１，２，３に示すように、引き抜きベルト６により後方上方に搬送された人参Ａの葉部Ａ１が、葉部搬送ベルト８に受け渡されて挟持され、葉部搬送ベルト８により人参Ａが後方に搬送されながら、回転刃９により人参Ａと葉部Ａ１との間が切断されて、人参Ａが搬送ベルト１０に落下する。葉部Ａ１はそのまま葉部搬送ベルト８により後方に搬送されて、案内板１１に放出され、案内板１１から案内板１２に落下して、機体の後側の地面に落下する。
【００２４】
図２及び図３に示すように、搬送ベルト１０の搬送方向と斜めに交差する固定の案内板１３が搬送ベルト１０の上側に備えられ、搬送ベルト１０の後部から右側に向ってコンベア１４が備えられている。コンベア１４の右端部に回収袋１５（作物回収体に相当）が備えられており、機体の後部に作業者用の椅子１６が備えられている。
【００２５】
これにより、葉部搬送ベルト８から落下した人参Ａが搬送ベルト１０により後方に搬送されるのであり、人参Ａが案内板１３に達すると案内板１３により搬送ベルト１０からコンベア１４に案内される。コンベア１４により人参Ａが右方に搬送される途中において、椅子１６の作業者が、不良の人参Ａを取り出すのであり、良品の人参Ａはコンベア１４により搬送されて回収袋１５に投入される。
【００２６】
［２］
次に、コンベア１４について説明する。
図２，３，４に示すように、前及び後の壁部１７が機体に固定されて、壁部１７の右上部に支持された支持軸１８周りに、前及び後の壁部１９が上下に揺動自在に支持されており、壁部１９を昇降駆動する電動型式の昇降シリンダ２０が、機体と壁部１９とに亘って接続されている。
【００２７】
図４に示すように、前及び後の壁部１７の間に、駆動スプロケット２１及び案内輪２２が回転自在に支持されており、支持軸１８に案内輪２３が回転自在に支持されている。前及び後の壁部１９の右端部に、案内輪２４が回転自在に支持されており、駆動スプロケット２１及び案内輪２２，２３，２４に亘って搬送ベルト２５が架設されている。
【００２８】
図４に示すように、案内輪２２の間において、前後方向の横軸芯Ｐ１周りにアーム２６が揺動自在に支持され、アーム２６に案内輪２７が支持されて、アーム２６を図４の紙面時計方向に付勢するバネ２８が備えられており、案内輪２７により搬送ベルト２５に適切な緊張が与えられている。
搬送ベルト２５は、両端に位置する搬送チェーン２５ａ、搬送チェーン２５ａに亘って接続されたコンベアバー２５ｂ、コンベアバー２５ｂに連結された搬送板２５ｃを備えて構成されている。
【００２９】
［３］
次に、支持台２９及び回収袋１５について説明する。
図２，３，５に示すように、機体の右後部に補助台３０が支持されており、補助台３０の後部の左右方向の横軸芯Ｐ２周りに、支持台２９が上下に揺動自在に支持されて、支持台２９がコンベア１４の右端部の下方に位置している。
【００３０】
図２，３，５に示すように、補助台３０の右前部に支柱３１が連結され、支持台２９の右前部にアーム２９ａが連結されて、支柱３１と支持台２９のアーム２９ａとに亘って伸縮機構３２が接続されている。伸縮機構３２は電動モータ３３により伸縮駆動されるのであり、伸縮機構３２により支持台２９を、図５の実線に示す横向きの水平な作業姿勢、並びに、図５の二点鎖線に示す後下がり状の傾斜姿勢に設定することができる。
【００３１】
図３及び図５の実線で示す状態は、支持台２９を作業姿勢に設定している状態であり、支持台２９に回収袋１５が載置された状態で、収穫作業が行われる。後述する［６］に記載のように、回収袋１５が人参Ａで満杯になると、図５の二点鎖線に示すように、支持台２９を傾斜姿勢に設定して、回収袋１５を支持台２９から地面に滑り降ろす。
【００３２】
図６に示すように、回収袋１５は全体が帆布等の布やポリエチレン等の可撓性シートにより構成されており、底部を備え上部が開放された立方体状の本体部１５ａ、本体部１５ａの角部と角部とに亘って縫い付けられた紐部１５ｂ（吊り下げ部に相当）、本体部１５ａの上縁部の全周部に亘って縫い付けられた巾着部１５ｃ、巾着部１５ｃの外周部に亘って取り付けられて巾着部１５ｃを絞って閉じる紐部１５ｄ等を備えて構成されている。
【００３３】
［４］
次に、吊り下げ体３４の構造について説明する。
図２，３，５に示すように、吊り下げ体３４はコンベア１４の右端部に備えられて、回収袋１５を吊り下げて支持するものである。
【００３４】
図７，９（ａ），１０に示すように、横長の丸棒材で構成された主フレーム３５が備えられて、主フレーム３５の中央部に逆Ｖ字状の板材の吊り下げ板３６が連結されており、主フレーム３５の一方及び他方の端部に近い部分に、丸棒材で構成されたフック部３７が連結されている。主フレーム３５の一方及び他方の端部に、一対の支持板３８が下向きに連結されている。
【００３５】
図７，９（ａ），１０に示すように、側面視でＬ字状の第１支持部材４１が備えられ、第１支持部材４１の下部に補助アーム４１ａが連結されており、第１支持部材４１の中央付近にボス部４１ｂが連結され、第１支持部材４１及び補助アーム４１ａの間の下部にピン４１ｃ，４１ｄが支持されている。
【００３６】
図７，９（ａ），１０に示すように、丸棒材により受け部材４３が構成されており、受け部材４３に支点部４３ａが連結されて、受け部材４３の支点部４３ａが第１支持部材４１のピン４１ｃに上下に揺動自在に支持されている。
後述する［６］に記載のように、第１支持部材４１と一緒に受け部材４３が第２支持部材４２から離れても、受け部材４３の後部が第１支持部材４１のピン４１ｄに当たることにより、受け部材４３が図９（ａ）の実線に示す横向きの姿勢から下方に揺動することはない。
【００３７】
図７，９（ａ），１０に示すように、丸棒材をＵ字状に折り曲げて第２支持部材４２が構成されており、Ｕ字の底の部分が受け止め部４２ａとなり、受け止め部４２ａの一方及び他方の端部から上方に延出される一対の部分が、一対の横側部４２ｂとなっている。
ピン３９が支持板３８の下部及び第１支持部材４１のボス部４１ｂに亘って挿入されており、支持板３８の間において第１支持部材４１がピン３９周りに上下に揺動自在に支持されている。支持板３８の下部に亘って、第２支持部材４２の横側部４１ｂの上部が連結されている。
【００３８】
図７，９（ａ），１０に示すように、主フレーム３５の一方及び他方の端部の支持板３８に、第１及び第２支持部材４１，４２、受け部材４３が備えられており、主フレーム３５の一方及び他方の端部の支持板３８の第１支持部材４１に亘って、アーチ状の操作ハンドル４７が連結されている（接続されている。）
【００３９】
図７，９（ａ），１０に示すように、主フレーム３５の一方の端部のフック部３７と、第１支持部材４１の延出部４１ｅとに亘って、バネ４０が接続されている。
バネ４０の付勢力により、第１支持部材４１（補助アーム４１ａ）が第２支持部材４２に接近する側（図９（ａ）の紙面時計方向）に付勢されており、第１支持部材４１の上部が主フレーム３５に当たることにより、第１支持部材４１が図９（ａ）に示す姿勢となっている。
【００４０】
［５］
次に、吊り下げ体３４への回収袋１５の取り付けについて説明する。
図７，８，９（ａ）に示すように、平面視でＬ字状の支持アーム４９が備えられて、支持アーム４９に補強板４９ａが連結されている。コンベア１４において、壁部１９に亘って支持された支持軸５０に、支持アーム４９が壁部１９に沿うように取り付けられ、壁部１９に連結された支持部１９ａに支持アーム４９が受け止められて支持されている。
【００４１】
図７，８，１０に示す状態は、支持アーム４９の端部に、吊り下げ体３４（吊り下げ板３６）を取り付けている状態である。主フレーム３５に対して、第１支持部材４１がコンベア１４（壁部１９）側に位置し、操作ハンドル４７がコンベア１４（壁部１９）の反対側に位置する状態で、吊り下げ体３４は支持アーム４９の端部で自由に揺動できるように支持されており、吊り下げ体３４の外れ止めのピン５１が支持アーム４９の端部に取り付けられている。
【００４２】
図９（ａ）に示すように、第１支持部材４１の上部が主フレーム３５に当たることにより、第１支持部材４１が図９（ａ）に示す姿勢となっている。受け部材４３に回収袋１５の紐部１５ｂが掛けられていない状態において、横向きの受け部材４３の一方の端部が第１支持部材４１に支持され、横向きの受け部材４３の他方の端部が第２支持部材４２（受け止め部４２ａ）に下側から受け止められて支持されており、受け部材４３が第１及び第２支持部材４１，４２に支持されている。
【００４３】
この場合、図１０に示すように、第２支持部材４２に受け部材４３の他方の端部が内部に入り込む状態となっており、受け部材４３の他方の端部の両横側に、第２支持部材４２の一対の横側部４２ｂが位置する状態となっている。これにより、受け部材４３の他方の端部が振動等により第２支持部材４２（受け止め部４２ａ）から横に外れようとしても、第２支持部材４２の横側部４２ｂに止められて、受け部材４３の他方の端部が第２支持部材４２（受け止め部４２ａ）から外れるようなことはない。
【００４４】
回収袋１５の紐部１５ｂを受け部材４３に掛ける場合、図９（ａ）の二点鎖線に示すように、受け部材４３を上方に揺動させて（回収袋１５の紐部１５ｂにより受け部材４３を押し上げて）、受け部材４３の他方の端部を第２支持部材４２（受け止め部４２ａ）から上方に離した状態において、回収袋１５の紐部１５ｂを受け部材４３の他方の端部と第２支持部材４２（受け止め部４２ａ）との間を通して入れ込むのであり、回収袋１５の紐部１５ｂを受け部材４３に掛ける。この後、受け部材４３を下方に揺動させて、受け部材４３の他方の端部を第２支持部材４２（受け止め部４２ａ）により下側から受け止め支持させる。
【００４５】
次に図５及び図６に示すように、回収袋１５の巾着部１５ｃの外周部に亘って取り付けられる紐部１５ｄが部分的に露出しているので、回収袋１５の紐部１５ｄをフック部３７に掛けることにより、回収袋１５の上部を開放する。
【００４６】
［６］
次に、収穫作業における人参Ａの回収袋１５への回収について説明する。
前項［５］に記載のように、空の回収袋１５を吊り下げ体３４に取り付けた後に、図５に示すように、支持台２９を横向きの水平な作業姿勢に設定し、図１１（ａ）に示すように、コンベア１４を支持台２９の付近まで下降させて、回収袋１５を潰した状態としておく。
【００４７】
前述の状態で収穫作業を開始すると、図２に示すように、収穫された人参Ａがコンベア１４から回収袋１５に投入されて回収されるのであり、コンベア１４により人参Ａが右方に搬送される途中において、椅子１６の作業者が不良の人参Ａを取り出す。
収穫作業の進行に伴って回収袋１５に人参Ａが回収されていくと、図１１（ｂ）に示すように、椅子１６の作業者はコンベア１４を少し上昇させ停止させて、回収袋１５の上部を少し引き上げるのであり、収穫作業の進行に伴って回収袋１５に人参Ａが回収されていくと、椅子１６の作業者はコンベア１４を再び少し上昇させ停止させて、回収袋１５の上部を少し引き上げる。
【００４８】
図３に示すように、回収袋１５の上部を限界まで引き上げると（回収袋１５の紐部１５ｂがピンと上方に張った状態）、機体を停止させて収穫作業を中断する。
回収袋１５の上部を限界まで引き上げた状態（回収袋１５の紐部１５ｂがピンと上方に張った状態）において、図９（ａ）に示すように、第１及び第２支持部材４１，４２により受け部材４３の一方及び他方の端部が支持されて、回収袋１５の重量が横向きの受け部材４３の延出方向と交差するように、受け部材４３に下向きに掛かる状態となっている。
【００４９】
以上の状態において、椅子１６の作業者は吊り下げ体３４の位置に移動して、操作ハンドル４７を持ち、操作ハンドル４７を下方に操作する。これにより、図９（ｂ）に示すように、主フレーム３５の一方及び他方の端部の支持板３８の第１支持部材４１を、第２支持部材４２から離れる方向（斜め上方）に揺動操作することができるのであり（第１支持部材４１を受け部材４３の延出方向に沿って移動自在に主フレーム３５に支持した状態に相当）、第１支持部材４１（補助アーム４１ａ）と一緒に受け部材４３が第２支持部材４２から離れる。
【００５０】
この場合に、図９（ｂ）に示すように、回収袋１５の重量が掛かる下向きに対して、受け部材４３の移動方向は下向きと交差する横向き（斜め上方）であるので、回収袋１５の重量が掛かる下向きとは逆の上向きに受け部材４３を移動させる状態に比べて、受け部材４３を受け部材４３の延出方向に沿って横向き（斜め上方）に楽に移動させることができる。
【００５１】
図９（ｂ）に示すように、受け部材４３を第２支持部材４２から離れる位置まで移動させることによって、受け部材４３と第２支持部材４２との間から、回収袋１５の紐部１５ｂを楽に取り外すことができる（回収袋１５の紐１５ｂを受け部材４３から楽に取り外すことができる）。
回収袋１５の紐部１５ｂを吊り下げ体３４から取り外した後、前項［３］及び図５の二点鎖線に示すように、支持台２９を傾斜姿勢に設定して、回収袋１５を支持台２９から地面に滑り降ろす。
【００５２】
この後、図７，９（ａ），１０に示すように、第１支持部材４１が主フレーム３５に当たるまで操作ハンドル４７を上方に操作すると、主フレーム３５の一方及び他方の端部の支持板３８の第１支持部材４１が、第２支持部材４２に接近する方向（斜め下方）に揺動して、第１支持部材４１（補助アーム４１ａ）と一緒に受け部材４３が第２支持部材４２に接近する。これにより、受け部材４３の他方の端部が第２支持部材４２に入り込むのであり、受け部材４３が第１及び第２支持部材４１，４２に支持される状態に戻る。
【００５３】
［発明の実施の第１別形態］
前述の［発明を実施するための形態］において、主フレーム３５の一方及び他方の端部の支持板３８の第１支持部材４１に亘って連結されたアーチ状の操作ハンドル４７を廃止して、主フレーム３５の一方及び他方の端部の支持板３８の各々の第１支持部材４１に、小さな操作ハンドル（図示せず）を備えてもよい。
この場合、短い主フレーム３５に、１組の第１支持部材４１、第２支持部材４２、受け部材４３及び操作ハンドルを備えるように構成してもよい。
【００５４】
［発明の実施の第２別形態］
前述の［発明を実施するための形態］［発明の実施の第１別形態］において、主フレーム３５（支持板３８）に第１支持部材４１を揺動自在に支持するのではなく、受け部材４３の延出方向に沿って第１支持部材４１をスライド自在（平行移動自在）に支持してもよい。
【００５５】
［発明の実施の第３別形態］
前述の［発明を実施するための形態］［発明の実施の第１別形態］［発明の実施の第２別形態］において、第２支持部材４２をＵ字状ではなくＪ字状又はＬ字状に構成して、一方の支持板３８に連結するように構成してもよい。
【００５６】
［発明の実施の第４別形態］
コンベア１４を昇降自在ではなく位置固定に構成した人参収穫機（作物収穫機）や、支持台２９を昇降自在ではなく位置固定に構成した人参収穫機（作物収穫機）に対して、前述の［発明を実施するための形態］［発明の実施の第１別形態］〜［発明の実施の第３別形態］の吊り下げ体３４を使用してもよい。
【００５７】
帆布等の布やポリエチレン等の可撓性シートにより構成された回収袋１５ばかりではなく、金属製や合成樹脂製の箱状に構成された作物回収体（金属製や合成樹脂製の硬質の吊り下げ部を備える）に対して、前述の［発明を実施するための形態］［発明の実施の第１別形態］〜［発明の実施の第３別形態］の吊り下げ体３４を使用してもよい。
【産業上の利用可能性】
【００５８】
本発明は、人参収穫機ばかりではなく、大根収穫機や玉ねぎ収穫機等の作物収穫機にも適用できる。
【符号の説明】
【００５９】
１５    作物回収体
１５ｂ  作物回収体の吊り下げ部
３５    主フレーム
４１    第１支持部材
４２    第２支持部材
４２ａ  第２支持部材の受け止め部
４２ｂ  第２支持部材の横側部
４３    受け部材
４７    操作部材
【図１】
0006396814.tif 000002
【図２】
0006396814.tif 000003
【図３】
0006396814.tif 000004
【図４】
0006396814.tif 000005
【図５】
0006396814.tif 000006
【図６】
0006396814.tif 000007
【図７】
0006396814.tif 000008
【図８】
0006396814.tif 000009
【図９】
0006396814.tif 000010
【図１０】
0006396814.tif 000011
【図１１】
0006396814.tif 000012